(57)【要約】【課題】保温性を高めることができる低コストのカバー容器を提供する。【解決手段】カバー容器１は、上側カバー３と、キャップ２と、下側カバー４と、を備えている。上側カバー３は、第１円筒部３１と、第１円筒部３１の内周部に形成されペットボトル９の口部９１の外周部と係合可能に設けられた内側ネジ部３８と、内側ネジ部３８がペットボトル９の口部９１に係合している状態でペットボトル９の外側を覆うように設けられた筒状の上側カバー本体部３４と、を有している。キャップ２は、内側ネジ部３８がペットボトル９の口部９１に係合している状態でペットボトル９の口部９１を覆うように設けられている。下側カバー４は、上側カバー本体部３４の外側に挿入可能な筒状の下側カバー本体部４１と、下側カバー本体部４１の一方の端部を覆う底部４２と、を有している。【選択図】図１
2011131921.tif 000002
【特許請求の範囲】
【請求項１】
携帯用容器の外側を覆うためのカバー容器であって、
第１円筒部と、前記第１円筒部の内周部に形成され前記携帯用容器の口部の外周部と係合可能に設けられた第１係合部と、前記第１係合部が前記携帯用容器の口部に係合している状態で前記携帯用容器の外側を覆うように設けられた筒状の第１本体部と、を有する第１カバー部材と、
前記第１円筒部に着脱可能な部材であって前記第１係合部が前記携帯用容器の口部に係合している状態で前記携帯用容器の口部を覆うように設けられた蓋部材と、
前記第１本体部の内側あるいは外側に挿入可能な筒状の第２本体部と、前記第２本体部の一方の端部を覆う底部と、を有する第２カバー部材と、
を備えたカバー容器。
【請求項２】
前記第１カバー部材は、前記第１円筒部の外周部に形成された第２係合部を有しており、
前記蓋部材は、第２円筒部と、前記第２円筒部の内周部に形成され前記第２係合部と係合可能に設けられた第３係合部と、前記第２円筒部の一方の端部を覆う蓋部と、を有している、
請求項１に記載のカバー容器。
【請求項３】
前記第２係合部は、前記第１円筒部から半径方向外側に概ね螺旋状に突出しており、
前記第３係合部は、前記第２係合部に螺合可能に設けられ、前記第２円筒部から半径方向内側に概ね螺旋状に突出している、
請求項１または２に記載のカバー容器。
【請求項４】
前記第１係合部は、前記携帯用容器の口部の外周部と螺合可能に設けられ、前記第１円筒部から半径方向内側に概ね螺旋状に突出している、
請求項１から３のいずれかに記載のカバー容器。
【請求項５】
前記第１係合部は、前記第１円筒部の内周部から半径方向内側に突出する概ね環状の部分である、
請求項１から３のいずれかに記載のカバー容器。
【請求項６】
前記第２本体部は、前記第１本体部に対して前記第１円筒部の中心軸に沿った方向に位置決めされるように前記第１本体部に係合する、
請求項１から５のいずれかに記載のカバー容器。
【請求項７】
前記第１本体部は、環状の凹凸を有する第１波形部を有しており、
前記第２本体部は、環状の凹凸を有し前記第１波形部に係合可能な第２波形部を有している、
請求項１から６のいずれかに記載のカバー容器。
【請求項８】
前記第１波形部の凹凸のピッチは、前記第２波形部の凹凸のピッチと同じである、
請求項７に記載のカバー容器。
【発明の詳細な説明】
【技術分野】
【０００１】
本発明は、携帯用容器の外側を覆うためのカバー容器に関する。
【背景技術】
【０００２】
従来、液体を持ち運ぶための容器として、ペットボトルなどの携帯用容器が広く用いられている。
しかし、この主の容器は比較的薄い材料で構成されているので保温性に欠ける。したがって、例えば、冷たい液体が内部に入っていると、短時間で液体がぬるくなってしまったり、あるいは容器の外側が結露したりする。また、暖かい液体が内部に入っていると、短時間で液体が冷めてしまったりする。
そこで、二重構造の容器が提案されている（例えば、特許文献１を参照）。
【先行技術文献】
【特許文献】
【０００３】
【特許文献１】特開２００５−１４５４８８号公報
【発明の概要】
【発明が解決しようとする課題】
【０００４】
しかし、特許文献１に記載の容器では、一体型の容器で二重構造を実現しているため、市販されているペットボトルなどの容器として使用するには製造コストがかかり過ぎる。
本発明の課題は、保温性を高めることができる低コストのカバー容器を提供することにある。
【課題を解決するための手段】
【０００５】
第１の発明に係るカバー容器は、携帯用容器の外側を覆うための容器であって、第１カバー部材と、蓋部材と、第２カバー部材と、を備えている。第１カバー部材は、第１円筒部と、第１円筒部の内周部に形成され携帯用容器の口部の外周部と係合可能に設けられた第１係合部と、第１係合部が携帯用容器の口部に係合している状態で携帯用容器の外側を覆うように設けられた筒状の第１本体部と、を有している。蓋部材は、第１円筒部に着脱可能な部材であって第１係合部が携帯用容器の口部に係合している状態で携帯用容器の口部を覆うように設けられている。第２カバー部材は、第１本体部の内側あるいは外側に挿入可能な筒状の第２本体部と、第２本体部の一方の端部を覆う底部と、を有している。
このカバー容器では、第１円筒部の内周部に形成された第１係合部が携帯用容器の口部の外周部と係合している状態で、携帯用容器の外側が第１本体部により覆われる。第１円筒部に蓋部材を装着すると携帯用容器の口部が蓋部材により覆われる。さらに、第１本体部に第２本体部を挿入することで第１カバー部材に第２カバー部材を装着することができる。したがって、携帯用容器自体を二重構造にしなくても、第１カバー部材、第２カバー部材および蓋部材を用いて簡単に携帯用容器の外側を覆う二重構造を実現できる。
【０００６】
このように、本発明によれば、保温性を高めることができる低コストのカバー容器を提供することができる。
ここで、携帯用容器としては、飲料用や調味料用のペットボトルなどの容器が考えられる。また、筒状には、円筒状の他に、断面が環状かつ多角形の形状も含まれる。
第２の発明に係るカバー容器は、第１の発明に係るカバー容器において、第１カバー部材が第１円筒部の外周部に形成された第２係合部を有している。蓋部材は、第２円筒部と、第２円筒部の内周部に形成され第２係合部と係合可能に設けられた第３係合部と、第２円筒部の一方の端部を覆う蓋部と、を有している。
このカバー容器では、第１カバー部材の第２係合部に蓋部材の第３係合部が係合することで、蓋部により携帯用容器の口部を覆うことができる。これにより、携帯用容器から液体がこぼれ出るのを確実に防止することができる。
【０００７】
第３の発明に係るカバー容器は、第１または第２の発明に係るカバー容器において、第２係合部が第１円筒部から半径方向外側に概ね螺旋状に突出している。第３係合部は、第２係合部に螺合可能に設けられており、第２円筒部から半径方向内側に概ね螺旋状に突出している。
このカバー容器では、第２係合部および第３係合部がネジ部であるため、蓋部材を第１カバー部材に強固に装着することができる。
ここで、「概ね螺旋状」とは、螺旋状つながっている形状の他に、螺旋状につながっている部分ではなく、ネジとしての機能を発揮し得る程度に複数の部分に分割されている形状も含む概念である。
第４の発明に係るカバー容器は、第１から第３のいずれかの発明に係るカバー容器において、第１係合部が、携帯用容器の口部の外周部と螺合可能に設けられており、第１円筒部から半径方向内側に概ね螺旋状に突出している。
【０００８】
このカバー容器では、第１係合部がネジ部であるため、例えば市販のペットボトルの口部に第１カバー部材を簡単に装着することができる。
ここで、「概ね螺旋状」とは、螺旋状つながっている形状の他に、螺旋状につながっている部分ではなく、ネジとしての機能を発揮し得る程度に複数の部分に分割されている形状も含む概念である。
第５の発明に係るカバー容器は、第１から第３のいずれかの発明に係るカバー容器において、第１係合部が、第１円筒部の内周面から半径方向内側に突出する概ね環状の部分である。
このカバー容器では、第１係合部が概ね環状の部分であるので、例えば市販のペットボトルだけでなく、それ以外の容器に第１カバー部材を装着することができる。例えば、容器の口に第１係合部を引っ掛けることで、第１カバー部材を簡単に携帯用容器に装着することができ、構造の簡素化を図ることができる。
【０００９】
ここで、「概ね環状」とは、環状の他に、容器に係合可能な程度に環状の部分が複数の部分に分割されている形状も含む概念である。
第６の発明に係るカバー容器は、第１から第５のいずれかの発明に係るカバー容器において、第２本体部が、第１本体部に対して第１円筒部の中心軸に沿った方向に位置決めされるように第１本体部に係合する。
このカバー容器では、第２本体部が、第１本体部に対して第１円筒部の中心軸に沿った方向に位置決めされるように第１本体部に係合するため、第２本体部が第１本体部から脱落するのを抑制でき、携帯性が向上する。
第７の発明に係るカバー容器は、第１から第６のいずれかの発明に係るカバー容器において、第１本体部が環状の凹凸を有する第１波形部を有している。第２本体部は、環状の凹凸を有し第１波形部に係合可能な第２波形部を有している。
【００１０】
このカバー容器では、第１波形部の凹凸に第２波形部の凹凸が嵌め込むことで、第１カバー部材に第２カバー部材を簡単に装着することができる。また、第２本体部が第１本体部から脱落するのを抑制でき、携帯性が向上する。
第８の発明に係るカバー容器は、第７の発明に係るカバー容器において、第１波形部の凹凸のピッチが第２波形部の凹凸のピッチと概ね同じである。
このカバー容器では、第１波形部の凹凸のピッチが第２波形部の凹凸のピッチと概ね同じであるため、凹凸のピッチ分だけ第１カバー部材に対する第２カバー部材をスライドさせることができ、様々な大きさの携帯用容器に対応することができる。
【発明の効果】
【００１１】
以上のように、本発明であれば、携帯用容器の保温性を高めることができる低コストのカバー容器を提供することができる。
【図面の簡単な説明】
【００１２】
【図１】カバー容器１の全体概略図
【図２】カバー容器１の部分断面図
【図３】カバー容器１の部分断面図（他の実施形態）
【発明を実施するための形態】
【００１３】
＜カバー容器１の全体構成＞
図１および図２を用いて本発明に係るカバー容器１について説明する。ここでは、市販のペットボトル９に用いられるカバー容器１を例に説明する。図１に示すように、カバー容器１は、ペットボトル９の外側を覆うための２分割タイプの容器であって、上側カバー３（第１カバー部材の一例）と、上側カバー３に装着されたキャップ２（蓋部材の一例）と、上側カバー３に装着された下側カバー４（第２カバー部材の一例）と、を備えている。
（１）上側カバー３
上側カバー３は、ペットボトル９に装着される部材であって、キャップ２が装着される装着部３５と、装着部３５に固定された筒状の上側カバー本体部３４と、を有している。
【００１４】
図２に示すように、装着部３５は、ペットボトル９の口部９１に装着するための部分であり、第１円筒部３１と、外側ネジ部３７（第２係合部の一例）と、内側ネジ部３８（第１係合部の一例）と、テーパ部３２と、固定部３３と、を有している。装着部３５は例えば樹脂により一体成形されている。
第１円筒部３１は、装着部３５の主要部を構成しており、上側カバー３をペットボトル９に装着している状態でペットボトル９のネジ部９８の外周側に配置される。例えば、第１円筒部３１の内径はペットボトル９のリング９２の外径よりも小さく設定されている。また、第１円筒部３１の軸方向の寸法は、ペットボトル９のネジ部９８の軸方向の寸法よりも小さく設定されている。ここで、軸方向とは、上側カバー３および下側カバー４の中心軸Ａに沿った方向を意味している。
【００１５】
ここで、ペットボトル９のリング９２は、口部９１に形成された環状の突出部９４とフランジ９３との間に嵌め込まれており、未開封状態でペットボトル９のキャップ（図示せず）の脱落を防止している。未開封状態ではリング９２はキャップと一体の部材を構成しているが、開封時にキャップをひねるとネジ部９８で発生する軸方向の力によりキャップと切り離される。
外側ネジ部３７は、キャップ２のネジ部２２（後述）と螺合する部分であり、第１円筒部３１の外周部に形成されている。外側ネジ部３７は例えば第１円筒部３１から半径方向外側に螺旋状に突出している。
内側ネジ部３８は、ペットボトル９の口部９１の外周部と係合する部分であり、第１円筒部３１の内周部に形成されている。具体的には、口部９１は螺旋状に突出するネジ部９８を有しており、内側ネジ部３８は、このネジ部９８と螺合可能に設けられている。内側ネジ部３８は例えば第１円筒部３１から半径方向内側に螺旋状に突出している。
【００１６】
テーパ部３２は、第１円筒部３１の下部に形成されており、第１円筒部３１から徐々に内径が広がっている。第１円筒部３１の内径がネジ部９８の外径よりも小さいため、装着部３５を口部９１にねじこむと、テーパ部３２はペットボトル９のリング９２と当接する。テーパ部３２がリング９２に当接することで、ペットボトル９に対する上側カバー３の軸方向の位置が決まる。
固定部３３は、テーパ部３２の端部から下側に延びる円筒状の部分であり、上側カバー本体部３４が溶着などにより固定されている。固定部３３の内径は、リング９２およびフランジ９３の外形よりも大きく設定されており、フランジ９３の外周側に配置されている。
上側カバー本体部３４は、内側ネジ部３８がペットボトル９の口部９１に係合している状態でペットボトル９の外側を覆うように設けられている。上側カバー本体部３４は、ペットボトル９の外形に概ね沿った形状を有しており、ペットボトル９よりも一回り大きく形成されている。したがって、上側カバー本体部３４とペットボトル９との間には隙間が確保されており、上側カバー本体部３４はペットボトル９と接触していない。つまり、上側カバー本体部３４により二重構造が実現されている。内部のペットボトル９が見えるように、上側カバー本体部３４は例えば透明の樹脂で構成されている。
【００１７】
上側カバー本体部３４は、首部３９と、下側カバー４の第２波形部４６が係合する第１波形部３６と、を有している。例えば首部３９および第１波形部３６は一体成形されている。首部３９の内径は、固定部３３から徐々に大きくなっている。首部３９は装着部３５の固定部３３に溶着などにより固定されている。第１波形部３６は、軸方向に並んで配置された複数の凹凸を有している。より詳細には、第１波形部３６は、内周側に窪んだ複数の第１凹部３６ａを有している。複数の第１凹部３６ａは軸方向に並んで配置されている。本実施形態では第１凹部３６ａは環状である。
（２）キャップ２
キャップ２は、ペットボトル９のキャップとは別の部材であり、第１円筒部３１に着脱可能となっている。キャップ２は、内側ネジ部３８がペットボトル９の口部９１に係合している状態でペットボトル９の口部９１を覆うように設けられている。具体的には、キャップ２は、第２円筒部２１と、ネジ部２２と、蓋部２３と、第１環状突起２６と、第２環状突起２４と、第３環状突起２５と、を有している。
【００１８】
第２円筒部２１は、第１円筒部３１の外周側に配置された円筒状の部分であり、第１円筒部３１よりも内径が大きく設定されている。
ネジ部２２は、第２円筒部２１の内周部に形成されており、外側ネジ部３７と螺合可能に設けられている。ネジ部２２は第２円筒部２１から半径方向内側に螺旋状に突出している。
蓋部２３は、第２円筒部２１の上側の端部を覆う円板状の部分である。蓋部２３の内側の面（口部９１側の面）には第１環状突起２６、第２環状突起２４および第３環状突起２５が形成されている。
第１環状突起２６は、口部９１よりも外径が大きく設定されている。第２環状突起２４は第１環状突起２６の内周側に配置されており、口部９１に挿入される。第１環状突起２６は第１環状突起２６よりも軸方向の寸法が大きい。第３環状突起２５は、第１環状突起２６および第２環状突起２４の半径方向間に配置されている。キャップ２が上側カバー３に装着されている状態で第３環状突起２５は口部９１と軸方向に当接する。これにより、ペットボトル９内部の液体が外に漏れ出すのを防止することができる。
【００１９】
（３）下側カバー４
下側カバー４は、上側カバー３に装着される部材であって、円筒状の下側カバー本体部４１（第２本体部の一例）と、底部４２と、を有している。内部のペットボトル９が見えるように、下側カバー４は例えば透明の樹脂（ペットボトル９と同じ材質）で一体成形されている。
下側カバー本体部４１は、ペットボトル９の外形に概ね沿った形状を有しており、ペットボトル９よりも一回り大きく形成されている。したがって、下側カバー４が上側カバー３に装着されている状態で、下側カバー本体部４１とペットボトル９との間には隙間が確保されており、下側カバー本体部４１はペットボトル９と接触していない。つまり、下側カバー本体部４１により二重構造が実現されている。
【００２０】
下側カバー本体部４１は、上側カバー３に対して軸方向に位置決めされるように上側カバー本体部３４に係合する。具体的には、下側カバー本体部４１は、上側カバー３の第１波形部３６が係合する第２波形部４６と、底部４２と、を有している。
第２波形部４６は、軸方向に並んで配置された複数の凹凸を有している。より詳細には、第２波形部４６は、内周側に窪んだ複数の第２凹部４６ａを有している。複数の第２凹部４６ａは軸方向に並んで配置されている。本実施形態では第２凹部４６ａは環状である。
第２波形部４６は第１波形部３６よりも一回り大きく形成されているので、本実施形態では下側カバー４は上側カバー３の外側に挿入されている。さらに、第２波形部４６の凹凸のピッチは第１波形部３６の凹凸のピッチと概ね同じに設定されている。これらのピッチをＰとすると、第２波形部４６の第１波形部３６に対する位置はピッチＰで上下にスライドするようになっている。このため、いくつかの第２波形部４６は第１波形部３６の外周側に嵌め込まれている。第２波形部４６の下側の端部は底部４２により閉じられているので、第２波形部４６および底部４２によりカップ形状の容器が形成されている。
【００２１】
底部４２は下側カバー本体部４１の下側の端部を覆っている。上側カバー３に対する下側カバー４の位置を調整することで底部４２とペットボトル９との間に隙間を確保することができる。
＜カバー容器１の使用方法＞
ここで、カバー容器１の使用方法について説明する。まず、ペットボトル９のキャップ（図示せず）を取り外した状態で、上側カバー３をペットボトル９に装着する。具体的には、上側カバー３の装着部３５にペットボトル９の口部９１をねじ込む。このとき、装着部３５の内側ネジ部３８に口部９１のネジ部９８が螺合する。テーパ部３２がリング９２に当接すると、上側カバー３の装着が完了する。
次に、キャップ２を上側カバー３に装着する。具体的には、キャップ２を装着部３５にねじ込む。このとき、装着部３５の外側ネジ部３７にキャップ２のネジ部２２が螺合する。キャップ２の第３環状突起２５が口部９１と当接すると、キャップ２の装着が完了する。装着完了後の状態（図２に示す状態）では、第１環状突起２６および第２環状突起２４の間に口部９１の端部が入り込んでいる。このため、ペットボトル９内部の液体が漏れ出すのを防止できる。
【００２２】
キャップ２の装着完了後、下側カバー４を上側カバー３に装着する。具体的には、下側カバー４の下側カバー本体部４１を上側カバー３の上側カバー本体部３４に下から挿入する。このとき、下側カバー本体部４１の第２波形部４６が上側カバー本体部３４の第１波形部３６と係合するため、上側カバー３に対する下側カバー４の軸方向の位置が決まる。より詳細には、第１凹部３６ａに第２凹部４６ａが嵌り込んだ位置で上側カバー３に対する下側カバー４の軸方向の位置が決まる。下側カバー４をスライドさせると、係合する第１凹部３６ａおよび第２凹部４６ａが変わるため、上側カバー３に対する下側カバー４の位置をピッチＰという単位で調節することができる。
カバー容器１の装着が完了すると、ペットボトル９と外気との間には、１つの空気層が形成されることになる。具体的には、ペットボトル９と上側カバー３との間、そして、ペットボトル９と下側カバー４との間には、それぞれ隙間が確保されている。このため、ペットボトル９の保温性を高めることができる。ペットボトル９内の液体の温度が外気に比べて低い場合でも、ペットボトル９の外面が結露するのを抑制することができる。また、仮にペットボトル９の外面が結露したとしても、上側カバー３および下側カバー４の内部に結露した水分が溜まる。そして、上側カバー３および下側カバー４の外面は空気層の働きによりほとんど結露しない。したがって、結露によりユーザーが不快感を覚えるのを防止することができる。
【００２３】
なお、ユーザーがキャップ２を取り外すことで、ペットボトル９内部の液体をコップ等に注ぐことができる。また、必要に応じて下側カバー４をコップ代わりに使用することもできる。
＜カバー容器１の特徴＞
以上に説明したカバー容器１の特徴を以下にまとめる。
（１）このカバー容器１では、第１円筒部３１の内周部に形成された内側ネジ部３８がペットボトル９の口部９１と係合している状態で、ペットボトル９の外側が上側カバー本体部３４により覆われる。この状態で第１円筒部３１にキャップ２を装着するとペットボトル９の口部９１がキャップ２により覆われる。さらに、上側カバー本体部３４に下側カバー本体部４１を挿入することで上側カバー３に下側カバー４を装着することができる。したがって、ペットボトル９自体を二重構造にしなくても、上側カバー３、下側カバー４およびキャップ２を用いて簡単にペットボトル９の外側を覆う二重構造を実現できる。
【００２４】
このように、このカバー容器１であれば、製造コストの増大を抑制しつつ保温性を高めることができる。
（２）上側カバー３の外側ネジ部３７にキャップ２のネジ部２２が係合することで、蓋部２３によりペットボトル９の口部９１を覆うことができる。これにより、ペットボトル９用のキャップを用いることなく、ペットボトル９から液体がこぼれ出るのを確実に防止することができる。
特に、外側ネジ部３７およびネジ部２２にネジを採用しているので、簡素な構造でキャップ２を上側カバー３に強固に装着することができる。
（３）内側ネジ部３８にネジを採用しているので、前述のように、例えば市販のペットボトル９の口部９１に上側カバー３を強固に装着することができる。
【００２５】
（４）上側カバー本体部３４に対して軸方向に位置決めされるように下側カバー本体部４１が上側カバー本体部３４に係合している。具体的には、第１波形部３６の凹凸（第１凹部３６ａ）に第２波形部４６の凹凸（第２凹部４６ａ）が嵌め込まれる。このため、簡素な構造で、下側カバー本体部４１が上側カバー本体部３４から脱落するのを抑制でき、携帯性が向上する。
特に、第１波形部３６の凹凸のピッチが第２波形部４６の凹凸のピッチと同じであるため、凹凸のピッチＰという単位で上側カバー３に対する下側カバー４の軸方向の位置を調節することができ、様々な大きさの携帯用容器に対応することが可能となる。
＜他の実施形態＞
本発明の具体的な構成は、前述の実施形態に限られるものではなく、発明の要旨を逸脱しない範囲で種々の変更および修正が可能である。なお、以下の説明では、前述の実施形態の構成と実質的に同じ機能を有する構成については、同じ符号を付し、その詳細な説明は省略する。
【００２６】
（１）携帯用容器としてペットボトル９を例に説明しているが、携帯用容器はペットボトルに限定されない。携帯用容器としては、飲料用や調味料用の樹脂性あるいは金属製の容器が考えられる。
（２）上側カバー本体部３４および下側カバー本体部４１は円筒状であるが、上側カバー本体部３４および下側カバー本体部４１の形状は前述の実施形態に限定されない。例えば、上側カバー本体部３４および下側カバー本体部４１は断面が環状である筒状の部材であればよい。つまり、ここでの「筒状」には、円筒状の他に、断面が環状かつ多角形の形状も含まれる。
（３）第１係合部として内側ネジ部３８を例に説明しているが、図３に示すように、第１係合部が第１円筒部３１の内周部から半径方向内側に突出する概ね環状の部分（突出部１３８）であってもよい。この場合、例えば市販のペットボトルやそれ以外の容器に引っ掛けて上側カバー３を携帯用容器に装着することができるので、構造の簡素化を図ることができる。
【００２７】
ここで、「概ね環状」とは、環状の他に、容器に係合可能な程度に複数の部分に分割されている形状も含む概念である。
（４）外側ネジ部３７、内側ネジ部３８、ネジ部２２およびネジ部９８は概ね螺旋状に突出していればよい。例えば、螺旋状につながっている部分ではなく、ネジとしての機能を発揮し得る程度に複数の部分に分割されていてもよい。
（５）下側カバー４が上側カバー本体部３４の外側に挿入されているが、下側カバー４が上側カバー３の内側に挿入される構成であってもよい。このような構成であっても、前述の実施形態と同様の効果を得ることができる。
（６）第１波形部３６および第２波形部４６は、前述の実施形態に限定されない。例えば、第１波形部３６および第２波形部４６は少なくとも１つずつあれば、上側カバー３に下側カバー４を装着することができる。また、上側カバー３に対する下側カバー４の位置をスライド調整できる構成にしたい場合は、複数の第１波形部３６およびそれに係合可能な少なくとも１つの第２波形部４６を設ければ足り、逆に、複数の第２波形部４６および少なくとも１つの第１波形部３６を設ければ足りる。
【符号の説明】
【００２８】
１  カバー容器
２  キャップ（蓋部材の一例）
２１  第２円筒部
２２  ネジ部（第３係合部の一例）
２３  蓋部
３  上側カバー（第１カバー部材の一例）
３１  第１円筒部
３２  テーパ部
３３  固定部
３４  上側カバー本体部（第１本体部の一例）
３５  装着部
３６  第１波形部
３６ａ  第１凹部
３７  外側ネジ部（第２係合部の一例）
３８  内側ネジ部（第３係合部の一例）
４  下側カバー（第２カバー部材の一例）
４１  下側カバー本体部（第２本体部の一例）
４２  底部
４６  第２波形部
４６ａ  第２凹部
９  ペットボトル（携帯用容器の一例）
９１  口部
９２  リング
９８  ネジ部
【図１】
2011131921.tif 000003
【図２】
2011131921.tif 000004
【図３】
2011131921.tif 000005
【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
携帯用容器の外側を覆うためのカバー容器であって、
第１円筒部と、前記第１円筒部の内周部に形成され前記携帯用容器の口部の外周部と係合可能に設けられた第１係合部と、前記第１係合部が前記携帯用容器の口部に係合している状態で前記携帯用容器の外側を覆うように設けられた筒状の第１本体部と、を有する第１カバー部材と、
前記第１円筒部に着脱可能な部材であって前記第１係合部が前記携帯用容器の口部に係合している状態で前記携帯用容器の口部の縁と当接可能に設けられた蓋部材と、
前記第１本体部の内側あるいは外側に挿入可能な筒状の第２本体部と、前記第２本体部の一方の端部を覆う底部と、を有する第２カバー部材と、
を備えたカバー容器。
【請求項２】
前記第１カバー部材は、前記第１円筒部の外周部に形成された第２係合部を有しており、
前記蓋部材は、第２円筒部と、前記第２円筒部の内周部に形成され前記第２係合部と係合可能に設けられた第３係合部と、前記第２円筒部の一方の端部を覆い前記口部の縁と当接可能に設けられた蓋部と、を有している、
請求項１に記載のカバー容器。
【請求項３】
前記第２係合部は、前記第１円筒部から半径方向外側に概ね螺旋状に突出しており、
前記第３係合部は、前記第２係合部に螺合可能に設けられ、前記第２円筒部から半径方向内側に概ね螺旋状に突出している、
請求項１または２に記載のカバー容器。
【請求項４】
前記第１係合部は、前記携帯用容器の口部の外周部と螺合可能に設けられ、前記第１円筒部から半径方向内側に概ね螺旋状に突出している、
請求項１から３のいずれかに記載のカバー容器。
【請求項５】
前記第１係合部は、前記第１円筒部の内周部から半径方向内側に突出する概ね環状の部分である、
請求項１から３のいずれかに記載のカバー容器。
【請求項６】
前記第２本体部は、前記第１本体部に対して前記第１円筒部の中心軸に沿った方向に位置決めされるように前記第１本体部に係合する、
請求項１から５のいずれかに記載のカバー容器。
【請求項７】
前記第１本体部は、環状の凹凸を有する第１波形部を有しており、
前記第２本体部は、環状の凹凸を有し前記第１波形部に係合可能な第２波形部を有している、
請求項１から６のいずれかに記載のカバー容器。
【請求項８】
前記第１波形部の凹凸のピッチは、前記第２波形部の凹凸のピッチと同じである、
請求項７に記載のカバー容器。
【手続補正２】
【補正対象書類名】明細書
【補正対象項目名】全文
【補正方法】変更
【補正の内容】
【発明の詳細な説明】
【技術分野】
【０００１】
本発明は、携帯用容器の外側を覆うためのカバー容器に関する。
【背景技術】
【０００２】
従来、液体を持ち運ぶための容器として、ペットボトルなどの携帯用容器が広く用いられている。
しかし、この主の容器は比較的薄い材料で構成されているので保温性に欠ける。したがって、例えば、冷たい液体が内部に入っていると、短時間で液体がぬるくなってしまったり、あるいは容器の外側が結露したりする。また、暖かい液体が内部に入っていると、短時間で液体が冷めてしまったりする。
そこで、二重構造の容器が提案されている（例えば、特許文献１を参照）。
【先行技術文献】
【特許文献】
【０００３】
【特許文献１】特開２００５−１４５４８８号公報
【発明の概要】
【発明が解決しようとする課題】
【０００４】
しかし、特許文献１に記載の容器では、一体型の容器で二重構造を実現しているため、市販されているペットボトルなどの容器として使用するには製造コストがかかり過ぎる。
本発明の課題は、保温性を高めることができる低コストのカバー容器を提供することにある。
【課題を解決するための手段】
【０００５】
第１の発明に係るカバー容器は、携帯用容器の外側を覆うための容器であって、第１カバー部材と、蓋部材と、第２カバー部材と、を備えている。第１カバー部材は、第１円筒部と、第１円筒部の内周部に形成され携帯用容器の口部の外周部と係合可能に設けられた第１係合部と、第１係合部が携帯用容器の口部に係合している状態で携帯用容器の外側を覆うように設けられた筒状の第１本体部と、を有している。蓋部材は、第１円筒部に着脱可能な部材であって第１係合部が携帯用容器の口部に係合している状態で携帯用容器の口部の縁と当接可能に設けられている。第２カバー部材は、第１本体部の内側あるいは外側に挿入可能な筒状の第２本体部と、第２本体部の一方の端部を覆う底部と、を有している。
このカバー容器では、第１円筒部の内周部に形成された第１係合部が携帯用容器の口部の外周部と係合している状態で、携帯用容器の外側が第１本体部により覆われる。第１円筒部に蓋部材を装着すると携帯用容器の口部が蓋部材により覆われる。さらに、第１本体部に第２本体部を挿入することで第１カバー部材に第２カバー部材を装着することができる。したがって、携帯用容器自体を二重構造にしなくても、第１カバー部材、第２カバー部材および蓋部材を用いて簡単に携帯用容器の外側を覆う二重構造を実現できる。
【０００６】
このように、本発明によれば、保温性を高めることができる低コストのカバー容器を提供することができる。
ここで、携帯用容器としては、飲料用や調味料用のペットボトルなどの容器が考えられる。また、筒状には、円筒状の他に、断面が環状かつ多角形の形状も含まれる。
第２の発明に係るカバー容器は、第１の発明に係るカバー容器において、第１カバー部材が第１円筒部の外周部に形成された第２係合部を有している。蓋部材は、第２円筒部と、第２円筒部の内周部に形成され第２係合部と係合可能に設けられた第３係合部と、第２円筒部の一方の端部を覆い口部の縁と当接可能に設けられた蓋部と、を有している。
このカバー容器では、第１カバー部材の第２係合部に蓋部材の第３係合部が係合することで、蓋部により携帯用容器の口部を覆うことができる。これにより、携帯用容器から液体がこぼれ出るのを確実に防止することができる。
【０００７】
第３の発明に係るカバー容器は、第１または第２の発明に係るカバー容器において、第２係合部が第１円筒部から半径方向外側に概ね螺旋状に突出している。第３係合部は、第２係合部に螺合可能に設けられており、第２円筒部から半径方向内側に概ね螺旋状に突出している。
このカバー容器では、第２係合部および第３係合部がネジ部であるため、蓋部材を第１カバー部材に強固に装着することができる。
ここで、「概ね螺旋状」とは、螺旋状につながっている形状の他に、螺旋状につながっている部分ではなく、ネジとしての機能を発揮し得る程度に複数の部分に分割されている形状も含む概念である。
第４の発明に係るカバー容器は、第１から第３のいずれかの発明に係るカバー容器において、第１係合部が、携帯用容器の口部の外周部と螺合可能に設けられており、第１円筒部から半径方向内側に概ね螺旋状に突出している。
【０００８】
このカバー容器では、第１係合部がネジ部であるため、例えば市販のペットボトルの口部に第１カバー部材を簡単に装着することができる。
ここで、「概ね螺旋状」とは、螺旋状につながっている形状の他に、螺旋状につながっている部分ではなく、ネジとしての機能を発揮し得る程度に複数の部分に分割されている形状も含む概念である。
第５の発明に係るカバー容器は、第１から第３のいずれかの発明に係るカバー容器において、第１係合部が、第１円筒部の内周面から半径方向内側に突出する概ね環状の部分である。
このカバー容器では、第１係合部が概ね環状の部分であるので、例えば市販のペットボトルだけでなく、それ以外の容器に第１カバー部材を装着することができる。例えば、容器の口に第１係合部を引っ掛けることで、第１カバー部材を簡単に携帯用容器に装着することができ、構造の簡素化を図ることができる。
【０００９】
ここで、「概ね環状」とは、環状の他に、容器に係合可能な程度に環状の部分が複数の部分に分割されている形状も含む概念である。
第６の発明に係るカバー容器は、第１から第５のいずれかの発明に係るカバー容器において、第２本体部が、第１本体部に対して第１円筒部の中心軸に沿った方向に位置決めされるように第１本体部に係合する。
このカバー容器では、第２本体部が、第１本体部に対して第１円筒部の中心軸に沿った方向に位置決めされるように第１本体部に係合するため、第２本体部が第１本体部から脱落するのを抑制でき、携帯性が向上する。
第７の発明に係るカバー容器は、第１から第６のいずれかの発明に係るカバー容器において、第１本体部が環状の凹凸を有する第１波形部を有している。第２本体部は、環状の凹凸を有し第１波形部に係合可能な第２波形部を有している。
【００１０】
このカバー容器では、第１波形部の凹凸に第２波形部の凹凸が嵌め込むことで、第１カバー部材に第２カバー部材を簡単に装着することができる。また、第２本体部が第１本体部から脱落するのを抑制でき、携帯性が向上する。
第８の発明に係るカバー容器は、第７の発明に係るカバー容器において、第１波形部の凹凸のピッチが第２波形部の凹凸のピッチと概ね同じである。
このカバー容器では、第１波形部の凹凸のピッチが第２波形部の凹凸のピッチと概ね同じであるため、凹凸のピッチ分だけ第１カバー部材に対する第２カバー部材をスライドさせることができ、様々な大きさの携帯用容器に対応することができる。
【発明の効果】
【００１１】
以上のように、本発明であれば、携帯用容器の保温性を高めることができる低コストのカバー容器を提供することができる。
【図面の簡単な説明】
【００１２】
【図１】カバー容器１の全体概略図
【図２】カバー容器１の部分断面図
【図３】カバー容器１の部分断面図（他の実施形態）
【発明を実施するための形態】
【００１３】
＜カバー容器１の全体構成＞
図１および図２を用いて本発明に係るカバー容器１について説明する。ここでは、市販のペットボトル９に用いられるカバー容器１を例に説明する。図１に示すように、カバー容器１は、ペットボトル９の外側を覆うための２分割タイプの容器であって、上側カバー３（第１カバー部材の一例）と、上側カバー３に装着されたキャップ２（蓋部材の一例）と、上側カバー３に装着された下側カバー４（第２カバー部材の一例）と、を備えている。
（１）上側カバー３
上側カバー３は、ペットボトル９に装着される部材であって、キャップ２が装着される装着部３５と、装着部３５に固定された筒状の上側カバー本体部３４と、を有している。
【００１４】
図２に示すように、装着部３５は、ペットボトル９の口部９１に装着するための部分であり、第１円筒部３１と、外側ネジ部３７（第２係合部の一例）と、内側ネジ部３８（第１係合部の一例）と、テーパ部３２と、固定部３３と、を有している。装着部３５は例えば樹脂により一体成形されている。
第１円筒部３１は、装着部３５の主要部を構成しており、上側カバー３をペットボトル９に装着している状態でペットボトル９のネジ部９８の外周側に配置される。例えば、第１円筒部３１の内径はペットボトル９のリング９２の外径よりも小さく設定されている。また、第１円筒部３１の軸方向の寸法は、ペットボトル９のネジ部９８の軸方向の寸法よりも小さく設定されている。ここで、軸方向とは、上側カバー３および下側カバー４の中心軸Ａに沿った方向を意味している。
【００１５】
ここで、ペットボトル９のリング９２は、口部９１に形成された環状の突出部９４とフランジ９３との間に嵌め込まれており、未開封状態でペットボトル９のキャップ（図示せず）の脱落を防止している。未開封状態ではリング９２はキャップと一体の部材を構成しているが、開封時にキャップをひねるとネジ部９８で発生する軸方向の力によりキャップと切り離される。
外側ネジ部３７は、キャップ２のネジ部２２（後述）と螺合する部分であり、第１円筒部３１の外周部に形成されている。外側ネジ部３７は例えば第１円筒部３１から半径方向外側に螺旋状に突出している。
内側ネジ部３８は、ペットボトル９の口部９１の外周部と係合する部分であり、第１円筒部３１の内周部に形成されている。具体的には、口部９１は螺旋状に突出するネジ部９８を有しており、内側ネジ部３８は、このネジ部９８と螺合可能に設けられている。内側ネジ部３８は例えば第１円筒部３１から半径方向内側に螺旋状に突出している。
【００１６】
テーパ部３２は、第１円筒部３１の下部に形成されており、第１円筒部３１から徐々に内径が広がっている。第１円筒部３１の内径がネジ部９８の外径よりも小さいため、装着部３５を口部９１にねじこむと、テーパ部３２はペットボトル９のリング９２と当接する。テーパ部３２がリング９２に当接することで、ペットボトル９に対する上側カバー３の軸方向の位置が決まる。
固定部３３は、テーパ部３２の端部から下側に延びる円筒状の部分であり、上側カバー本体部３４が溶着などにより固定されている。固定部３３の内径は、リング９２およびフランジ９３の外形よりも大きく設定されており、フランジ９３の外周側に配置されている。
上側カバー本体部３４は、内側ネジ部３８がペットボトル９の口部９１に係合している状態でペットボトル９の外側を覆うように設けられている。上側カバー本体部３４は、ペットボトル９の外形に概ね沿った形状を有しており、ペットボトル９よりも一回り大きく形成されている。したがって、上側カバー本体部３４とペットボトル９との間には隙間が確保されており、上側カバー本体部３４はペットボトル９と接触していない。つまり、上側カバー本体部３４により二重構造が実現されている。内部のペットボトル９が見えるように、上側カバー本体部３４は例えば透明の樹脂で構成されている。
【００１７】
上側カバー本体部３４は、首部３９と、下側カバー４の第２波形部４６が係合する第１波形部３６と、を有している。例えば首部３９および第１波形部３６は一体成形されている。首部３９の内径は、固定部３３から徐々に大きくなっている。首部３９は装着部３５の固定部３３に溶着などにより固定されている。第１波形部３６は、軸方向に並んで配置された複数の凹凸を有している。より詳細には、第１波形部３６は、内周側に窪んだ複数の第１凹部３６ａを有している。複数の第１凹部３６ａは軸方向に並んで配置されている。本実施形態では第１凹部３６ａは環状である。
（２）キャップ２
キャップ２は、ペットボトル９のキャップとは別の部材であり、第１円筒部３１に着脱可能となっている。キャップ２は、内側ネジ部３８がペットボトル９の口部９１に係合している状態でペットボトル９の口部９１を覆うように設けられている。具体的には、キャップ２は、第２円筒部２１と、ネジ部２２と、蓋部２３と、第１環状突起２６と、第２環状突起２４と、第３環状突起２５と、を有している。
【００１８】
第２円筒部２１は、第１円筒部３１の外周側に配置された円筒状の部分であり、第１円筒部３１よりも内径が大きく設定されている。
ネジ部２２は、第２円筒部２１の内周部に形成されており、外側ネジ部３７と螺合可能に設けられている。ネジ部２２は第２円筒部２１から半径方向内側に螺旋状に突出している。
蓋部２３は、第２円筒部２１の上側の端部を覆う円板状の部分である。蓋部２３の内側の面（口部９１側の面）には第１環状突起２６、第２環状突起２４および第３環状突起２５が形成されている。
第１環状突起２６は、口部９１よりも外径が大きく設定されている。第２環状突起２４は第１環状突起２６の内周側に配置されており、口部９１に挿入される。第１環状突起２６は第１環状突起２６よりも軸方向の寸法が大きい。第３環状突起２５は、第１環状突起２６および第２環状突起２４の半径方向間に配置されている。キャップ２が上側カバー３に装着されている状態で第３環状突起２５は口部９１と軸方向に当接する。これにより、ペットボトル９内部の液体が外に漏れ出すのを防止することができる。
【００１９】
（３）下側カバー４
下側カバー４は、上側カバー３に装着される部材であって、円筒状の下側カバー本体部４１（第２本体部の一例）と、底部４２と、を有している。内部のペットボトル９が見えるように、下側カバー４は例えば透明の樹脂（ペットボトル９と同じ材質）で一体成形されている。
下側カバー本体部４１は、ペットボトル９の外形に概ね沿った形状を有しており、ペットボトル９よりも一回り大きく形成されている。したがって、下側カバー４が上側カバー３に装着されている状態で、下側カバー本体部４１とペットボトル９との間には隙間が確保されており、下側カバー本体部４１はペットボトル９と接触していない。つまり、下側カバー本体部４１により二重構造が実現されている。
【００２０】
下側カバー本体部４１は、上側カバー３に対して軸方向に位置決めされるように上側カバー本体部３４に係合する。具体的には、下側カバー本体部４１は、上側カバー３の第１波形部３６が係合する第２波形部４６と、底部４２と、を有している。
第２波形部４６は、軸方向に並んで配置された複数の凹凸を有している。より詳細には、第２波形部４６は、内周側に窪んだ複数の第２凹部４６ａを有している。複数の第２凹部４６ａは軸方向に並んで配置されている。本実施形態では第２凹部４６ａは環状である。
第２波形部４６は第１波形部３６よりも一回り大きく形成されているので、本実施形態では下側カバー４は上側カバー３の外側に挿入されている。さらに、第２波形部４６の凹凸のピッチは第１波形部３６の凹凸のピッチと概ね同じに設定されている。これらのピッチをＰとすると、第２波形部４６の第１波形部３６に対する位置はピッチＰで上下にスライドするようになっている。このため、いくつかの第２波形部４６は第１波形部３６の外周側に嵌め込まれている。第２波形部４６の下側の端部は底部４２により閉じられているので、第２波形部４６および底部４２によりカップ形状の容器が形成されている。
【００２１】
底部４２は下側カバー本体部４１の下側の端部を覆っている。上側カバー３に対する下側カバー４の位置を調整することで底部４２とペットボトル９との間に隙間を確保することができる。
＜カバー容器１の使用方法＞
ここで、カバー容器１の使用方法について説明する。まず、ペットボトル９のキャップ（図示せず）を取り外した状態で、上側カバー３をペットボトル９に装着する。具体的には、上側カバー３の装着部３５にペットボトル９の口部９１をねじ込む。このとき、装着部３５の内側ネジ部３８に口部９１のネジ部９８が螺合する。テーパ部３２がリング９２に当接すると、上側カバー３の装着が完了する。
次に、キャップ２を上側カバー３に装着する。具体的には、キャップ２を装着部３５にねじ込む。このとき、装着部３５の外側ネジ部３７にキャップ２のネジ部２２が螺合する。キャップ２の第３環状突起２５が口部９１と当接すると、キャップ２の装着が完了する。装着完了後の状態（図２に示す状態）では、第１環状突起２６および第２環状突起２４の間に口部９１の端部が入り込んでいる。このため、ペットボトル９内部の液体が漏れ出すのを防止できる。
【００２２】
キャップ２の装着完了後、下側カバー４を上側カバー３に装着する。具体的には、下側カバー４の下側カバー本体部４１を上側カバー３の上側カバー本体部３４に下から挿入する。このとき、下側カバー本体部４１の第２波形部４６が上側カバー本体部３４の第１波形部３６と係合するため、上側カバー３に対する下側カバー４の軸方向の位置が決まる。より詳細には、第１凹部３６ａに第２凹部４６ａが嵌り込んだ位置で上側カバー３に対する下側カバー４の軸方向の位置が決まる。下側カバー４をスライドさせると、係合する第１凹部３６ａおよび第２凹部４６ａが変わるため、上側カバー３に対する下側カバー４の位置をピッチＰという単位で調節することができる。
カバー容器１の装着が完了すると、ペットボトル９と外気との間には、１つの空気層が形成されることになる。具体的には、ペットボトル９と上側カバー３との間、そして、ペットボトル９と下側カバー４との間には、それぞれ隙間が確保されている。このため、ペットボトル９の保温性を高めることができる。ペットボトル９内の液体の温度が外気に比べて低い場合でも、ペットボトル９の外面が結露するのを抑制することができる。また、仮にペットボトル９の外面が結露したとしても、上側カバー３および下側カバー４の内部に結露した水分が溜まる。そして、上側カバー３および下側カバー４の外面は空気層の働きによりほとんど結露しない。したがって、結露によりユーザーが不快感を覚えるのを防止することができる。
【００２３】
なお、ユーザーがキャップ２を取り外すことで、ペットボトル９内部の液体をコップ等に注ぐことができる。また、必要に応じて下側カバー４をコップ代わりに使用することもできる。
＜カバー容器１の特徴＞
以上に説明したカバー容器１の特徴を以下にまとめる。
（１）このカバー容器１では、第１円筒部３１の内周部に形成された内側ネジ部３８がペットボトル９の口部９１と係合している状態で、ペットボトル９の外側が上側カバー本体部３４により覆われる。この状態で第１円筒部３１にキャップ２を装着するとペットボトル９の口部９１がキャップ２により覆われる。さらに、上側カバー本体部３４に下側カバー本体部４１を挿入することで上側カバー３に下側カバー４を装着することができる。したがって、ペットボトル９自体を二重構造にしなくても、上側カバー３、下側カバー４およびキャップ２を用いて簡単にペットボトル９の外側を覆う二重構造を実現できる。
【００２４】
このように、このカバー容器１であれば、製造コストの増大を抑制しつつ保温性を高めることができる。
（２）上側カバー３の外側ネジ部３７にキャップ２のネジ部２２が係合することで、蓋部２３によりペットボトル９の口部９１を覆うことができる。これにより、ペットボトル９用のキャップを用いることなく、ペットボトル９から液体がこぼれ出るのを確実に防止することができる。
特に、外側ネジ部３７およびネジ部２２にネジを採用しているので、簡素な構造でキャップ２を上側カバー３に強固に装着することができる。
（３）内側ネジ部３８にネジを採用しているので、前述のように、例えば市販のペットボトル９の口部９１に上側カバー３を強固に装着することができる。
【００２５】
（４）上側カバー本体部３４に対して軸方向に位置決めされるように下側カバー本体部４１が上側カバー本体部３４に係合している。具体的には、第１波形部３６の凹凸（第１凹部３６ａ）に第２波形部４６の凹凸（第２凹部４６ａ）が嵌め込まれる。このため、簡素な構造で、下側カバー本体部４１が上側カバー本体部３４から脱落するのを抑制でき、携帯性が向上する。
特に、第１波形部３６の凹凸のピッチが第２波形部４６の凹凸のピッチと同じであるため、凹凸のピッチＰという単位で上側カバー３に対する下側カバー４の軸方向の位置を調節することができ、様々な大きさの携帯用容器に対応することが可能となる。
＜他の実施形態＞
本発明の具体的な構成は、前述の実施形態に限られるものではなく、発明の要旨を逸脱しない範囲で種々の変更および修正が可能である。なお、以下の説明では、前述の実施形態の構成と実質的に同じ機能を有する構成については、同じ符号を付し、その詳細な説明は省略する。
【００２６】
（１）携帯用容器としてペットボトル９を例に説明しているが、携帯用容器はペットボトルに限定されない。携帯用容器としては、飲料用や調味料用の樹脂性あるいは金属製の容器が考えられる。
（２）上側カバー本体部３４および下側カバー本体部４１は円筒状であるが、上側カバー本体部３４および下側カバー本体部４１の形状は前述の実施形態に限定されない。例えば、上側カバー本体部３４および下側カバー本体部４１は断面が環状である筒状の部材であればよい。つまり、ここでの「筒状」には、円筒状の他に、断面が環状かつ多角形の形状も含まれる。
（３）第１係合部として内側ネジ部３８を例に説明しているが、図３に示すように、第１係合部が第１円筒部３１の内周部から半径方向内側に突出する概ね環状の部分（突出部１３８）であってもよい。この場合、例えば市販のペットボトルやそれ以外の容器に引っ掛けて上側カバー３を携帯用容器に装着することができるので、構造の簡素化を図ることができる。
【００２７】
ここで、「概ね環状」とは、環状の他に、容器に係合可能な程度に複数の部分に分割されている形状も含む概念である。
（４）外側ネジ部３７、内側ネジ部３８、ネジ部２２およびネジ部９８は概ね螺旋状に突出していればよい。例えば、螺旋状につながっている部分ではなく、ネジとしての機能を発揮し得る程度に複数の部分に分割されていてもよい。
（５）下側カバー４が上側カバー本体部３４の外側に挿入されているが、下側カバー４が上側カバー３の内側に挿入される構成であってもよい。このような構成であっても、前述の実施形態と同様の効果を得ることができる。
（６）第１波形部３６および第２波形部４６は、前述の実施形態に限定されない。例えば、第１波形部３６および第２波形部４６は少なくとも１つずつあれば、上側カバー３に下側カバー４を装着することができる。また、上側カバー３に対する下側カバー４の位置をスライド調整できる構成にしたい場合は、複数の第１波形部３６およびそれに係合可能な少なくとも１つの第２波形部４６を設ければ足り、逆に、複数の第２波形部４６および少なくとも１つの第１波形部３６を設ければ足りる。
【符号の説明】
【００２８】
１  カバー容器
２  キャップ（蓋部材の一例）
２１  第２円筒部
２２  ネジ部（第３係合部の一例）
２３  蓋部
３  上側カバー（第１カバー部材の一例）
３１  第１円筒部
３２  テーパ部
３３  固定部
３４  上側カバー本体部（第１本体部の一例）
３５  装着部
３６  第１波形部
３６ａ  第１凹部
３７  外側ネジ部（第２係合部の一例）
３８  内側ネジ部（第３係合部の一例）
４  下側カバー（第２カバー部材の一例）
４１  下側カバー本体部（第２本体部の一例）
４２  底部
４６  第２波形部
４６ａ  第２凹部
９  ペットボトル（携帯用容器の一例）
９１  口部
９２  リング
９８  ネジ部
【手続補正３】
【補正対象書類名】図面
【補正対象項目名】全図
【補正方法】変更
【補正の内容】
【図１】
2011131921.tif 000006
【図２】
2011131921.tif 000007
【図３】
2011131921.tif 000008
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
携帯用容器の外側を覆うためのカバー容器であって、
第１円筒部と、前記第１円筒部の内周部に形成され前記携帯用容器の口部と前記第１円筒部とを連結可能に設けられた第１係合部と、前記第１係合部が前記携帯用容器の口部と前記第１円筒部とを連結している状態で前記携帯用容器の外側を覆うように設けられた筒状の第１本体部と、を有する第１カバー部材と、
前記第１円筒部に着脱可能な部材であって前記第１係合部が前記携帯用容器の口部と前記第１円筒部とを連結している状態で前記携帯用容器の口部の縁と当接可能に設けられた蓋部材と、
前記第１本体部の内側あるいは外側に挿入可能な筒状の第２本体部と、前記第２本体部の一方の端部を覆う底部と、を有する第２カバー部材と、
を備えたカバー容器。
【請求項２】
前記第１カバー部材は、前記第１円筒部の外周部に形成された第２係合部を有しており、
前記蓋部材は、第２円筒部と、前記第２円筒部の内周部に形成され前記第２係合部と係合可能に設けられた第３係合部と、前記第２円筒部の一方の端部を覆い前記口部の縁と当接可能に設けられた蓋部と、を有している、
請求項１に記載のカバー容器。
【請求項３】
前記第２係合部は、前記第１円筒部から半径方向外側に概ね螺旋状に突出しており、
前記第３係合部は、前記第２係合部に螺合可能に設けられ、前記第２円筒部から半径方向内側に概ね螺旋状に突出している、
請求項１または２に記載のカバー容器。
【請求項４】
前記第１係合部は、前記携帯用容器の口部の外周部と螺合可能に設けられ、前記第１円筒部から半径方向内側に概ね螺旋状に突出している、
請求項１から３のいずれかに記載のカバー容器。
【請求項５】
前記第１係合部は、前記第１円筒部の内周部から半径方向内側に突出する概ね環状の部分である、
請求項１から３のいずれかに記載のカバー容器。
【請求項６】
前記第２本体部は、前記第１本体部に対して前記第１円筒部の中心軸に沿った方向に位置決めされるように前記第１本体部に係合する、
請求項１から５のいずれかに記載のカバー容器。
【請求項７】
前記第１本体部は、環状の凹凸を有する第１波形部を有しており、
前記第２本体部は、環状の凹凸を有し前記第１波形部に係合可能な第２波形部を有している、
請求項１から６のいずれかに記載のカバー容器。
【請求項８】
前記第１波形部の凹凸のピッチは、前記第２波形部の凹凸のピッチと同じである、
請求項７に記載のカバー容器。
【手続補正２】
【補正対象書類名】明細書
【補正対象項目名】全文
【補正方法】変更
【補正の内容】
【発明の詳細な説明】
【技術分野】
【０００１】
本発明は、携帯用容器の外側を覆うためのカバー容器に関する。
【背景技術】
【０００２】
従来、液体を持ち運ぶための容器として、ペットボトルなどの携帯用容器が広く用いられている。
【０００３】
しかし、この主の容器は比較的薄い材料で構成されているので保温性に欠ける。したがって、例えば、冷たい液体が内部に入っていると、短時間で液体がぬるくなってしまったり、あるいは容器の外側が結露したりする。また、暖かい液体が内部に入っていると、短時間で液体が冷めてしまったりする。
【０００４】
そこで、二重構造の容器が提案されている（例えば、特許文献１を参照）。
【先行技術文献】
【特許文献】
【０００５】
【特許文献１】特開２００５−１４５４８８号公報
【発明の概要】
【発明が解決しようとする課題】
【０００６】
しかし、特許文献１に記載の容器では、一体型の容器で二重構造を実現しているため、市販されているペットボトルなどの容器として使用するには製造コストがかかり過ぎる。
【０００７】
本発明の課題は、保温性を高めることができる低コストのカバー容器を提供することにある。
【課題を解決するための手段】
【０００８】
第１の発明に係るカバー容器は、携帯用容器の外側を覆うための容器であって、第１カバー部材と、蓋部材と、第２カバー部材と、を備えている。第１カバー部材は、第１円筒部と、第１円筒部の内周部に形成され携帯用容器の口部と第１円筒部とを連結可能に設けられた第１係合部と、第１係合部が携帯用容器の口部と第１円筒部とを連結している状態で携帯用容器の外側を覆うように設けられた筒状の第１本体部と、を有している。蓋部材は、第１円筒部に着脱可能な部材であって第１係合部が携帯用容器の口部と第１円筒部との連結している状態で携帯用容器の口部の縁と当接可能に設けられている。第２カバー部材は、第１本体部の内側あるいは外側に挿入可能な筒状の第２本体部と、第２本体部の一方の端部を覆う底部と、を有している。
【０００９】
このカバー容器では、第１円筒部の内周部に形成された第１係合部が携帯用容器の口部の外周部と係合している状態で、携帯用容器の外側が第１本体部により覆われる。第１円筒部に蓋部材を装着すると携帯用容器の口部が蓋部材により覆われる。さらに、第１本体部に第２本体部を挿入することで第１カバー部材に第２カバー部材を装着することができる。したがって、携帯用容器自体を二重構造にしなくても、第１カバー部材、第２カバー部材および蓋部材を用いて簡単に携帯用容器の外側を覆う二重構造を実現できる。
【００１０】
このように、本発明によれば、保温性を高めることができる低コストのカバー容器を提供することができる。
【００１１】
ここで、携帯用容器としては、飲料用や調味料用のペットボトルなどの容器が考えられる。また、筒状には、円筒状の他に、断面が環状かつ多角形の形状も含まれる。
【００１２】
第２の発明に係るカバー容器は、第１の発明に係るカバー容器において、第１カバー部材が第１円筒部の外周部に形成された第２係合部を有している。蓋部材は、第２円筒部と、第２円筒部の内周部に形成され第２係合部と係合可能に設けられた第３係合部と、第２円筒部の一方の端部を覆い口部の縁と当接可能に設けられた蓋部と、を有している。
【００１３】
このカバー容器では、第１カバー部材の第２係合部に蓋部材の第３係合部が係合することで、蓋部により携帯用容器の口部を覆うことができる。これにより、携帯用容器から液体がこぼれ出るのを確実に防止することができる。
【００１４】
第３の発明に係るカバー容器は、第１または第２の発明に係るカバー容器において、第２係合部が第１円筒部から半径方向外側に概ね螺旋状に突出している。第３係合部は、第２係合部に螺合可能に設けられており、第２円筒部から半径方向内側に概ね螺旋状に突出している。
【００１５】
このカバー容器では、第２係合部および第３係合部がネジ部であるため、蓋部材を第１カバー部材に強固に装着することができる。
【００１６】
ここで、「概ね螺旋状」とは、螺旋状につながっている形状の他に、螺旋状につながっている部分ではなく、ネジとしての機能を発揮し得る程度に複数の部分に分割されている形状も含む概念である。
【００１７】
第４の発明に係るカバー容器は、第１から第３のいずれかの発明に係るカバー容器において、第１係合部が、携帯用容器の口部の外周部と螺合可能に設けられており、第１円筒部から半径方向内側に概ね螺旋状に突出している。
【００１８】
このカバー容器では、第１係合部がネジ部であるため、例えば市販のペットボトルの口部に第１カバー部材を簡単に装着することができる。
【００１９】
ここで、「概ね螺旋状」とは、螺旋状につながっている形状の他に、螺旋状につながっている部分ではなく、ネジとしての機能を発揮し得る程度に複数の部分に分割されている形状も含む概念である。
【００２０】
第５の発明に係るカバー容器は、第１から第３のいずれかの発明に係るカバー容器において、第１係合部が、第１円筒部の内周面から半径方向内側に突出する概ね環状の部分である。
【００２１】
このカバー容器では、第１係合部が概ね環状の部分であるので、例えば市販のペットボトルだけでなく、それ以外の容器に第１カバー部材を装着することができる。例えば、容器の口に第１係合部を引っ掛けることで、第１カバー部材を簡単に携帯用容器に装着することができ、構造の簡素化を図ることができる。
【００２２】
ここで、「概ね環状」とは、環状の他に、容器に係合可能な程度に環状の部分が複数の部分に分割されている形状も含む概念である。
【００２３】
第６の発明に係るカバー容器は、第１から第５のいずれかの発明に係るカバー容器において、第２本体部が、第１本体部に対して第１円筒部の中心軸に沿った方向に位置決めされるように第１本体部に係合する。
【００２４】
このカバー容器では、第２本体部が、第１本体部に対して第１円筒部の中心軸に沿った方向に位置決めされるように第１本体部に係合するため、第２本体部が第１本体部から脱落するのを抑制でき、携帯性が向上する。
【００２５】
第７の発明に係るカバー容器は、第１から第６のいずれかの発明に係るカバー容器において、第１本体部が環状の凹凸を有する第１波形部を有している。第２本体部は、環状の凹凸を有し第１波形部に係合可能な第２波形部を有している。
【００２６】
このカバー容器では、第１波形部の凹凸に第２波形部の凹凸が嵌め込むことで、第１カバー部材に第２カバー部材を簡単に装着することができる。また、第２本体部が第１本体部から脱落するのを抑制でき、携帯性が向上する。
【００２７】
第８の発明に係るカバー容器は、第７の発明に係るカバー容器において、第１波形部の凹凸のピッチが第２波形部の凹凸のピッチと概ね同じである。
【００２８】
このカバー容器では、第１波形部の凹凸のピッチが第２波形部の凹凸のピッチと概ね同じであるため、凹凸のピッチ分だけ第１カバー部材に対する第２カバー部材をスライドさせることができ、様々な大きさの携帯用容器に対応することができる。
【発明の効果】
【００２９】
以上のように、本発明であれば、携帯用容器の保温性を高めることができる低コストのカバー容器を提供することができる。
【図面の簡単な説明】
【００３０】
【図１】カバー容器１の全体概略図
【図２】カバー容器１の部分断面図
【図３】カバー容器１の部分断面図（他の実施形態）
【発明を実施するための形態】
【００３１】
＜カバー容器１の全体構成＞
図１および図２を用いて本発明に係るカバー容器１について説明する。ここでは、市販のペットボトル９に用いられるカバー容器１を例に説明する。図１に示すように、カバー容器１は、ペットボトル９の外側を覆うための２分割タイプの容器であって、上側カバー３（第１カバー部材の一例）と、上側カバー３に装着されたキャップ２（蓋部材の一例）と、上側カバー３に装着された下側カバー４（第２カバー部材の一例）と、を備えている。
【００３２】
（１）上側カバー３
上側カバー３は、ペットボトル９に装着される部材であって、キャップ２が装着される装着部３５と、装着部３５に固定された筒状の上側カバー本体部３４と、を有している。
【００３３】
図２に示すように、装着部３５は、ペットボトル９の口部９１に装着するための部分であり、第１円筒部３１と、外側ネジ部３７（第２係合部の一例）と、内側ネジ部３８（第１係合部の一例）と、テーパ部３２と、固定部３３と、を有している。装着部３５は例えば樹脂により一体成形されている。
【００３４】
第１円筒部３１は、装着部３５の主要部を構成しており、上側カバー３をペットボトル９に装着している状態でペットボトル９のネジ部９８の外周側に配置される。例えば、第１円筒部３１の内径はペットボトル９のリング９２の外径よりも小さく設定されている。また、第１円筒部３１の軸方向の寸法は、ペットボトル９のネジ部９８の軸方向の寸法よりも小さく設定されている。ここで、軸方向とは、上側カバー３および下側カバー４の中心軸Ａに沿った方向を意味している。
【００３５】
ここで、ペットボトル９のリング９２は、口部９１に形成された環状の突出部９４とフランジ９３との間に嵌め込まれており、未開封状態でペットボトル９のキャップ（図示せず）の脱落を防止している。未開封状態ではリング９２はキャップと一体の部材を構成しているが、開封時にキャップをひねるとネジ部９８で発生する軸方向の力によりキャップと切り離される。
【００３６】
外側ネジ部３７は、キャップ２のネジ部２２（後述）と螺合する部分であり、第１円筒部３１の外周部に形成されている。外側ネジ部３７は例えば第１円筒部３１から半径方向外側に螺旋状に突出している。
【００３７】
内側ネジ部３８は、ペットボトル９の口部９１の外周部と係合する部分であり、第１円筒部３１の内周部に形成されている。具体的には、口部９１は螺旋状に突出するネジ部９８を有しており、内側ネジ部３８は、このネジ部９８と螺合可能に設けられている。内側ネジ部３８は例えば第１円筒部３１から半径方向内側に螺旋状に突出している。
【００３８】
テーパ部３２は、第１円筒部３１の下部に形成されており、第１円筒部３１から徐々に内径が広がっている。第１円筒部３１の内径がネジ部９８の外径よりも小さいため、装着部３５を口部９１にねじこむと、テーパ部３２はペットボトル９のリング９２と当接する。テーパ部３２がリング９２に当接することで、ペットボトル９に対する上側カバー３の軸方向の位置が決まる。
【００３９】
固定部３３は、テーパ部３２の端部から下側に延びる円筒状の部分であり、上側カバー本体部３４が溶着などにより固定されている。固定部３３の内径は、リング９２およびフランジ９３の外形よりも大きく設定されており、フランジ９３の外周側に配置されている。
【００４０】
上側カバー本体部３４は、内側ネジ部３８がペットボトル９の口部９１に係合している状態でペットボトル９の外側を覆うように設けられている。上側カバー本体部３４は、ペットボトル９の外形に概ね沿った形状を有しており、ペットボトル９よりも一回り大きく形成されている。したがって、上側カバー本体部３４とペットボトル９との間には隙間が確保されており、上側カバー本体部３４はペットボトル９と接触していない。つまり、上側カバー本体部３４により二重構造が実現されている。内部のペットボトル９が見えるように、上側カバー本体部３４は例えば透明の樹脂で構成されている。
【００４１】
上側カバー本体部３４は、首部３９と、下側カバー４の第２波形部４６が係合する第１波形部３６と、を有している。例えば首部３９および第１波形部３６は一体成形されている。首部３９の内径は、固定部３３から徐々に大きくなっている。首部３９は装着部３５の固定部３３に溶着などにより固定されている。第１波形部３６は、軸方向に並んで配置された複数の凹凸を有している。より詳細には、第１波形部３６は、内周側に窪んだ複数の第１凹部３６ａを有している。複数の第１凹部３６ａは軸方向に並んで配置されている。本実施形態では第１凹部３６ａは環状である。
【００４２】
（２）キャップ２
キャップ２は、ペットボトル９のキャップとは別の部材であり、第１円筒部３１に着脱可能となっている。キャップ２は、内側ネジ部３８がペットボトル９の口部９１に係合している状態でペットボトル９の口部９１を覆うように設けられている。具体的には、キャップ２は、第２円筒部２１と、ネジ部２２と、蓋部２３と、第１環状突起２６と、第２環状突起２４と、第３環状突起２５と、を有している。
【００４３】
第２円筒部２１は、第１円筒部３１の外周側に配置された円筒状の部分であり、第１円筒部３１よりも内径が大きく設定されている。
【００４４】
ネジ部２２は、第２円筒部２１の内周部に形成されており、外側ネジ部３７と螺合可能に設けられている。ネジ部２２は第２円筒部２１から半径方向内側に螺旋状に突出している。
【００４５】
蓋部２３は、第２円筒部２１の上側の端部を覆う円板状の部分である。蓋部２３の内側の面（口部９１側の面）には第１環状突起２６、第２環状突起２４および第３環状突起２５が形成されている。
【００４６】
第１環状突起２６は、口部９１よりも外径が大きく設定されている。第２環状突起２４は第１環状突起２６の内周側に配置されており、口部９１に挿入される。第１環状突起２６は第１環状突起２６よりも軸方向の寸法が大きい。第３環状突起２５は、第１環状突起２６および第２環状突起２４の半径方向間に配置されている。キャップ２が上側カバー３に装着されている状態で第３環状突起２５は口部９１と軸方向に当接する。これにより、ペットボトル９内部の液体が外に漏れ出すのを防止することができる。
【００４７】
（３）下側カバー４
下側カバー４は、上側カバー３に装着される部材であって、円筒状の下側カバー本体部４１（第２本体部の一例）と、底部４２と、を有している。内部のペットボトル９が見えるように、下側カバー４は例えば透明の樹脂（ペットボトル９と同じ材質）で一体成形されている。
【００４８】
下側カバー本体部４１は、ペットボトル９の外形に概ね沿った形状を有しており、ペットボトル９よりも一回り大きく形成されている。したがって、下側カバー４が上側カバー３に装着されている状態で、下側カバー本体部４１とペットボトル９との間には隙間が確保されており、下側カバー本体部４１はペットボトル９と接触していない。つまり、下側カバー本体部４１により二重構造が実現されている。
【００４９】
下側カバー本体部４１は、上側カバー３に対して軸方向に位置決めされるように上側カバー本体部３４に係合する。具体的には、下側カバー本体部４１は、上側カバー３の第１波形部３６が係合する第２波形部４６と、底部４２と、を有している。
【００５０】
第２波形部４６は、軸方向に並んで配置された複数の凹凸を有している。より詳細には、第２波形部４６は、内周側に窪んだ複数の第２凹部４６ａを有している。複数の第２凹部４６ａは軸方向に並んで配置されている。本実施形態では第２凹部４６ａは環状である。
【００５１】
第２波形部４６は第１波形部３６よりも一回り大きく形成されているので、本実施形態では下側カバー４は上側カバー３の外側に挿入されている。さらに、第２波形部４６の凹凸のピッチは第１波形部３６の凹凸のピッチと概ね同じに設定されている。これらのピッチをＰとすると、第２波形部４６の第１波形部３６に対する位置はピッチＰで上下にスライドするようになっている。このため、いくつかの第２波形部４６は第１波形部３６の外周側に嵌め込まれている。第２波形部４６の下側の端部は底部４２により閉じられているので、第２波形部４６および底部４２によりカップ形状の容器が形成されている。
【００５２】
底部４２は下側カバー本体部４１の下側の端部を覆っている。上側カバー３に対する下側カバー４の位置を調整することで底部４２とペットボトル９との間に隙間を確保することができる。
【００５３】
＜カバー容器１の使用方法＞
ここで、カバー容器１の使用方法について説明する。まず、ペットボトル９のキャップ（図示せず）を取り外した状態で、上側カバー３をペットボトル９に装着する。具体的には、上側カバー３の装着部３５にペットボトル９の口部９１をねじ込む。このとき、装着部３５の内側ネジ部３８に口部９１のネジ部９８が螺合する。テーパ部３２がリング９２に当接すると、上側カバー３の装着が完了する。
【００５４】
次に、キャップ２を上側カバー３に装着する。具体的には、キャップ２を装着部３５にねじ込む。このとき、装着部３５の外側ネジ部３７にキャップ２のネジ部２２が螺合する。キャップ２の第３環状突起２５が口部９１と当接すると、キャップ２の装着が完了する。装着完了後の状態（図２に示す状態）では、第１環状突起２６および第２環状突起２４の間に口部９１の端部が入り込んでいる。このため、ペットボトル９内部の液体が漏れ出すのを防止できる。
【００５５】
キャップ２の装着完了後、下側カバー４を上側カバー３に装着する。具体的には、下側カバー４の下側カバー本体部４１を上側カバー３の上側カバー本体部３４に下から挿入する。このとき、下側カバー本体部４１の第２波形部４６が上側カバー本体部３４の第１波形部３６と係合するため、上側カバー３に対する下側カバー４の軸方向の位置が決まる。より詳細には、第１凹部３６ａに第２凹部４６ａが嵌り込んだ位置で上側カバー３に対する下側カバー４の軸方向の位置が決まる。下側カバー４をスライドさせると、係合する第１凹部３６ａおよび第２凹部４６ａが変わるため、上側カバー３に対する下側カバー４の位置をピッチＰという単位で調節することができる。
【００５６】
カバー容器１の装着が完了すると、ペットボトル９と外気との間には、１つの空気層が形成されることになる。具体的には、ペットボトル９と上側カバー３との間、そして、ペットボトル９と下側カバー４との間には、それぞれ隙間が確保されている。このため、ペットボトル９の保温性を高めることができる。ペットボトル９内の液体の温度が外気に比べて低い場合でも、ペットボトル９の外面が結露するのを抑制することができる。また、仮にペットボトル９の外面が結露したとしても、上側カバー３および下側カバー４の内部に結露した水分が溜まる。そして、上側カバー３および下側カバー４の外面は空気層の働きによりほとんど結露しない。したがって、結露によりユーザーが不快感を覚えるのを防止することができる。
【００５７】
なお、ユーザーがキャップ２を取り外すことで、ペットボトル９内部の液体をコップ等に注ぐことができる。また、必要に応じて下側カバー４をコップ代わりに使用することもできる。
【００５８】
＜カバー容器１の特徴＞
以上に説明したカバー容器１の特徴を以下にまとめる。
【００５９】
（１）このカバー容器１では、第１円筒部３１の内周部に形成された内側ネジ部３８がペットボトル９の口部９１と係合している状態で、ペットボトル９の外側が上側カバー本体部３４により覆われる。この状態で第１円筒部３１にキャップ２を装着するとペットボトル９の口部９１がキャップ２により覆われる。さらに、上側カバー本体部３４に下側カバー本体部４１を挿入することで上側カバー３に下側カバー４を装着することができる。したがって、ペットボトル９自体を二重構造にしなくても、上側カバー３、下側カバー４およびキャップ２を用いて簡単にペットボトル９の外側を覆う二重構造を実現できる。
【００６０】
このように、このカバー容器１であれば、製造コストの増大を抑制しつつ保温性を高めることができる。
【００６１】
（２）上側カバー３の外側ネジ部３７にキャップ２のネジ部２２が係合することで、蓋部２３によりペットボトル９の口部９１を覆うことができる。これにより、ペットボトル９用のキャップを用いることなく、ペットボトル９から液体がこぼれ出るのを確実に防止することができる。
【００６２】
特に、外側ネジ部３７およびネジ部２２にネジを採用しているので、簡素な構造でキャップ２を上側カバー３に強固に装着することができる。
【００６３】
（３）内側ネジ部３８にネジを採用しているので、前述のように、例えば市販のペットボトル９の口部９１に上側カバー３を強固に装着することができる。
【００６４】
（４）上側カバー本体部３４に対して軸方向に位置決めされるように下側カバー本体部４１が上側カバー本体部３４に係合している。具体的には、第１波形部３６の凹凸（第１凹部３６ａ）に第２波形部４６の凹凸（第２凹部４６ａ）が嵌め込まれる。このため、簡素な構造で、下側カバー本体部４１が上側カバー本体部３４から脱落するのを抑制でき、携帯性が向上する。
【００６５】
特に、第１波形部３６の凹凸のピッチが第２波形部４６の凹凸のピッチと同じであるため、凹凸のピッチＰという単位で上側カバー３に対する下側カバー４の軸方向の位置を調節することができ、様々な大きさの携帯用容器に対応することが可能となる。
【００６６】
＜他の実施形態＞
本発明の具体的な構成は、前述の実施形態に限られるものではなく、発明の要旨を逸脱しない範囲で種々の変更および修正が可能である。なお、以下の説明では、前述の実施形態の構成と実質的に同じ機能を有する構成については、同じ符号を付し、その詳細な説明は省略する。
【００６７】
（１）携帯用容器としてペットボトル９を例に説明しているが、携帯用容器はペットボトルに限定されない。携帯用容器としては、飲料用や調味料用の樹脂性あるいは金属製の容器が考えられる。
【００６８】
（２）上側カバー本体部３４および下側カバー本体部４１は円筒状であるが、上側カバー本体部３４および下側カバー本体部４１の形状は前述の実施形態に限定されない。例えば、上側カバー本体部３４および下側カバー本体部４１は断面が環状である筒状の部材であればよい。つまり、ここでの「筒状」には、円筒状の他に、断面が環状かつ多角形の形状も含まれる。
【００６９】
（３）第１係合部として内側ネジ部３８を例に説明しているが、図３に示すように、第１係合部が第１円筒部３１の内周部から半径方向内側に突出する概ね環状の部分（突出部１３８）であってもよい。この場合、例えば市販のペットボトルやそれ以外の容器に引っ掛けて上側カバー３を携帯用容器に装着することができるので、構造の簡素化を図ることができる。
【００７０】
ここで、「概ね環状」とは、環状の他に、容器に係合可能な程度に複数の部分に分割されている形状も含む概念である。
【００７１】
（４）外側ネジ部３７、内側ネジ部３８、ネジ部２２およびネジ部９８は概ね螺旋状に突出していればよい。例えば、螺旋状につながっている部分ではなく、ネジとしての機能を発揮し得る程度に複数の部分に分割されていてもよい。
【００７２】
（５）下側カバー４が上側カバー本体部３４の外側に挿入されているが、下側カバー４が上側カバー３の内側に挿入される構成であってもよい。このような構成であっても、前述の実施形態と同様の効果を得ることができる。
【００７３】
（６）第１波形部３６および第２波形部４６は、前述の実施形態に限定されない。例えば、第１波形部３６および第２波形部４６は少なくとも１つずつあれば、上側カバー３に下側カバー４を装着することができる。また、上側カバー３に対する下側カバー４の位置をスライド調整できる構成にしたい場合は、複数の第１波形部３６およびそれに係合可能な少なくとも１つの第２波形部４６を設ければ足り、逆に、複数の第２波形部４６および少なくとも１つの第１波形部３６を設ければ足りる。
【符号の説明】
【００７４】
１  カバー容器
２  キャップ（蓋部材の一例）
２１  第２円筒部
２２  ネジ部（第３係合部の一例）
２３  蓋部
３  上側カバー（第１カバー部材の一例）
３１  第１円筒部
３２  テーパ部
３３  固定部
３４  上側カバー本体部（第１本体部の一例）
３５  装着部
３６  第１波形部
３６ａ  第１凹部
３７  外側ネジ部（第２係合部の一例）
３８  内側ネジ部（第３係合部の一例）
４  下側カバー（第２カバー部材の一例）
４１  下側カバー本体部（第２本体部の一例）
４２  底部
４６  第２波形部
４６ａ  第２凹部
９  ペットボトル（携帯用容器の一例）
９１  口部
９２  リング
９８  ネジ部